(57)【特許請求の範囲】
【請求項１】
壁部を有した機器本体と、
上記機器本体に設けられているとともに上記壁部に開口した電池装着部と、
上記電池装着部に脱着自在に装着された電池パックと、を備え、
上記電池パックは、上記電池装着部に収納された電池本体と、上記電池本体に取りつけられているとともに上記電池装着部の開口に嵌合可能に形成されたロックカバーと、を有し、
上記ロックカバーは、上記機器本体と係合するとともに上記開口を閉塞し、電池本体を上記電池収納部内にロックするロック位置と、上記機器本体との係合を解除し、上記電池収納部から電池パックを取り外し可能とするロック解除位置との間を移動可能に上記電池本体に取り付けられ、
上記ロックカバーの移動方向に沿って延びている上記ロックカバーの側縁と、上記ロック位置においてロックカバーの上記側縁と対向する上記機器本体の開口側縁と、によって形成されるパーティグラインは、機器本体の底壁に対し傾斜して延び、
上記電池本体は、上記ロックカバーの移動をガイドするガイド部を有し、このガイド部は上記機器本体の底壁に対し上記パーティングラインよりも大きく傾斜していることを特徴とする電子機器。
【請求項２】
上記電池本体のガイド部は、上記ロックカバーの移動方向に並んで位置しているとともに段差を持って配置された第１および第２ガイド面を有し、
上記ロックカバーは、それぞれ上記第１および第２ガイド面に沿って摺動自在に設けられた第１および第２ガイド爪を備えていることを特徴とする請求項１に記載の電子機器。
【請求項３】
上記第１および第２ガイド爪は、それぞれ上記第１および第２ガイド面に摺動自在に接触した接触面を有し、各接触面は、機器本体の底面に対して対し傾斜して延びていることを特徴とする請求項２に記載の電子機器。
【請求項４】
上記電池本体は、上記ガイド部と対向して設けられた位置規制部を有し、
上記ロックカバーは、上記位置規制部と係合し上記第１および第２ガイド面から離間する方向への上記第１および第２ガイド爪の移動を規制する係合部を備えていることを特徴とする請求項２又は３に記載の電子機器。
【請求項５】
上記パーティングラインおよびガイド部は、上記ロックカバーのロック位置からロック解除位置に向かって、上記機器本体の底壁側に傾斜して延びていることを特徴とする請求項１ないし４のいずれか１項に記載の電子機器。
【請求項６】
底壁およびこの底壁に連続した側壁を有した機器本体と、
上記機器本体に設けられ、上記底壁および側壁に開口した電池装着部と、
上記電池装着部に脱着自在に装着された電池パックと、を備え、
上記電池パックは、上記電池装着部に装着された祭、上記底壁の一部を形成する電池本体と、上記電池本体に取りつけられているととも上記側壁を一部を構成するロックカバーと、を有し、
上記ロックカバーは、上記機器本体と係合し上記電池本体を上記電池収納部内にロックするロック位置と、上記機器本体との係合を解除し、上記電池収納部から電池パックを取り外し可能とするロック解除位置との間を移動可能に上記電池本体に取り付けられ、
上記ロックカバーの移動方向に沿って延びている上記ロックカバーの側縁と、上記ロック位置におけるロックカバーの上記側縁と対向する上記機器本体の開口側縁と、によって形成されるパーティグラインは、上記ロック位置からロック解除位置に向かって機器本体の底壁側に傾斜して延び、
上記電池本体は、上記ロックカバーの移動をガイドするガイド部を有し、このガイド部は上記機器本体の底壁に対し上記パーティングラインよりも大きく傾斜していることを特徴とする電子機器。
【発明の詳細な説明】
【０００１】
【発明の属する技術分野】
この発明は、パーソナルコンピュータ等の電子機器に関し、特に、脱着自在な電池パックを備えた電子機器に関する。
【０００２】
【従来の技術】
近年、ブック型パーソナルコンピュータ、あるいは、いわゆるモバイルコンピュータと言われる携帯可能な小型のコンピュータが広く普及している。この種のコンピュータは、携帯性を高めるために機器本体の小型化が進められ、同時に、一層の性能の向上および多機能化が求められている。
【０００３】
このようなコンピュータは、一般に、ほぼ矩形状の偏平な機器本体と、機器本体に回動自在に設けられたディスプレイユニットと、を備えている。機器本体内には、多数の電子部品が実装されたプリント回路基板、情報記憶装置としてのハードディスクドライブ、フロッピーディスクドライブ、光ディスクドライブ等が設けられている。
【０００４】
また、このようなコンピュータは、商用電源から切り離した状態で使用できるように、すなわち、携帯して使用できるように、電池を備えている。通常、この電池は、機器本体に対して脱着自在な電池パックとして構成されている。
【０００５】
コンピュータの機器本体には電池パックを収納するための電池収納部が設けられている。また、電池パックは、電池収納部に対応した形状を有する電池本体と、電池本体に取り付けられたロックカバーと、を有している。そして、電池本体を機器本体の電池収納部に装着した状態で、ロックカバーをロック位置に移動させ機器本体と係合させることにより、電池パックは電池収納部に装着された状態にロックされる。装着状態において、ロックカバーは機器本体の壁面の一部を構成する。また、ロックカバーをロック位置からロック解除位置へ移動させて機器本体との係合を解くことにより、電池パックを機器本体から取り外すことが可能となる。
【０００６】
【発明が解決しようとする課題】
上記のように構成されたコンピュータにおいて、通常、電池パックのロックカバーは、水平方向、すなわち、機器本体の底面とほぼ平行な方向に沿って、ロック位置とロック解除位置との間を摺動自在に設けられている。この場合、このロックカバーの移動方向に延びた側縁と、この側縁に接する機器本体の壁面とによって形成されるパーティングラインは、水平方向、すなわち、機器本体の底面とほぼ平行に延びていなければならない。そのため、ロックカバーを含む機器本体の設計およびデザインは、上記パーティングラインによって制限され、その自由度が低下してしまうという問題がある。
【０００７】
この発明は以上の点に鑑みなされたもので、その目的は、電池パックのロックカバーと他部品とのパーティングラインを任意の直線あるいは曲線に設定することができ、設計およびデザインの自由度を上げることが可能な電子機器を提供することにある。
【０００８】
【課題を解決するための手段】
上記目的を達成するため、この発明に係る電子機器は、壁部を有した機器本体と、上記機器本体に設けられているとともに上記壁部に開口した電池装着部と、上記電池装着部に脱着自在に装着された電池パックと、を備え、
上記電池パックは、上記電池装着部に収納された電池本体と、上記電池本体に取りつけられているとともに上記電池装着部の開口に嵌合可能に形成されたロックカバーと、を有し、
上記ロックカバーは、上記機器本体と係合するとともに上記開口を閉塞し、電池本体を上記電池収納部内にロックするロック位置と、上記機器本体との係合を解除し、上記電池収納部から電池パックを取り外し可能とするロック解除位置との間を移動可能に上記電池本体に取り付けられ、
上記ロックカバーの移動方向に沿って延びている上記ロックカバーの側縁と、上記ロック位置に位置したロックカバーの上記側縁と対向する上記機器本体の開口側縁と、によって形成されるパーティグラインは、機器本体の底壁に対し傾斜して延び、
上記電池本体は、上記ロックカバーの移動をガイドするガイド部を有し、このガイド部は上記機器本体の底壁に対し上記パーティングラインよりも大きく傾斜していることを特徴としている。
【０００９】
また、この発明に係る電子機器によれば、上記電池本体のガイド部は、上記ロックカバーの移動方向に並んで位置しているとともに段差を持って配置された第１および第２ガイド面を有し、上記ロックカバーは、それぞれ上記第１および第２ガイド面に沿って摺動自在に設けられた第１および第２ガイド爪を備えていることを特徴としている。
【００１０】
上記のように構成された電子機器によれば、電池本体に設けられロックカバーの移動をガイドするガイド部は、機器本体の底面に対し傾斜して延びていることから、ロック位置とロック解除位置との間におけるロックカバーの移動方向は機器本体の底壁に対し傾斜した方向となる。それにより、ロックカバーと機器本体との間のパーティングラインも底壁に対して傾斜した任意の直線あるいは曲線とすることができる。これにより、パーティングラインが水平に限られることがなく、機器本体および電子機器全体の設計およびデザインの自由度を増すことができる。
【００１１】
また、電池本体に設けられたガイド部は、パーティングラインよりも大きく傾斜しているため、パーティングラインが傾斜しているにも拘わらず、ロックカバーをロック位置とロック解除位置との間に移動させる際、パーティングラインを形成するロックカバーの側縁と機器本体との衝突を防止し、ロックカバーの円滑な操作を確保することができる。
【００１２】
【発明の実施の形態】
以下、図面を参照しながら、この発明の実施の形態に係る携帯型のパーソナルコンピュータについて詳細に説明する。
【００１３】
図１に示すように、パーソナルコンピュータは、偏平な矩形箱状の機器本体１０と、同じく偏平な矩形状のディスプレイユニット１２と、を備えている。機器本体１０の上面には、キーボード１４、電源スイッチ１６、クリックスイッチ１８、インジケータ２０等が設けられている。そして、ディスプレイユニット１２は、機器本体１０の後部に設けられたヒンジ部２２により、キーボード１４の入力操作が可能な図示の開放位置と、キーボードを覆う閉塞位置との間を回動自在に支持されている。
【００１４】
図１および図２に示すように、機器本体１０は、底壁２４と、底壁に連続して立設された左右一対の側壁２６と、を備えている。また、機器本体１０内には、フロッピーディスクドライブ３４や図示しない光ディスクドライブ等のドライブユニット、カードスロット３６、電池パック３８、その他、種々の電子部品が配設されている。そして、カードスロット３６は、機器本体１０の一方の側壁に開口したカード挿入口を有し、また、フロッピーディスクドライブ３４は、カード挿入口に並んで側壁２６に設けられた前面パネルを有している。
【００１５】
図１ないし図４に示すように、機器本体１０は、底壁２４および側壁２６に開口したほぼ矩形箱状の凹所からなる電池収納部２８有し、電池パック３８は、この電池収納部２８に脱着自在に装着されている。電池パック３８は、電池収納部２８に対応した大きさを有する矩形箱状の電池本体３０と、電池本体に取り付けられたロックカバー３２と、を備えている。電池収納部２８に装着された状態において、電池パック３８の電池本体３０は、電池収納部の内、機器本体１０の底壁２４に開口した部分を閉塞し底壁の一部を構成している。また、ロックカバー３２は、電池収納部２８の内、機器本体１０の側壁２６に開口した開口２８ａを閉塞し側壁の一部を構成している。
【００１６】
電池収納部２８の開口２８ａの上側縁２９は、ロックカバー３２の上側縁３２ａと隣接対向し、機器本体１０とロックカバー３２との間のパーティングライン３１を形成している。そして、このパーティングライン３１は、機器本体１０の後端から前端に向かって機器本体の底壁２４側へ傾斜して延びている。
【００１７】
また、機器本体１０には、電池収納部２８の開口２８ａの前端側に位置した係合突起２５が形成されているとともに、開口２８ａの後端部に開口した一対の係合孔２７（図１１参照）が形成されている。
【００１８】
上記電池パック３８において、ロックカバー３２は、電池本体３０に対してロック位置とロック解除位置との間を移動可能に取り付けられているとともに、機器本体１０の底壁２４に対し傾斜した方向に沿って移動可能となっている。
【００１９】
詳細に説明すると、図２ないし図７に示すように、電池パック３８の電池本体３０はほぼ矩形箱状に形成され、その外面のほぼ全体は樹脂製のケースによって覆われている。そして、電池本体３０の内、電池収納部２８に装着された際に機器本体１０の側壁２０側の開口２８ａと隣接対向する側面３０ａには、ロックカバー３２の移動をガイドするガイド部４０と、このガイド部と対向して位置した位置規制部４２とが電池本体と一体的に形成されている。
【００２０】
ガイド部４０は、電池本体３０の側面３０ａから突出したガイドリブ４４を有し、このガイドリブは、側面３０ａの長手方向に延びているとともに側面の上側縁、すなわち、機器本体１０の上面側に隣接して設けられている。また、ガイドリブ４４は、その中間部に段差４５を有している。そして、ガイドリブ４４の上面により、第１ガイド面４４ａおよび第２ガイド面４４ｂが形成されている。
【００２１】
第１および第２ガイド面４４ａ、４４ｂは、段差４５を挟んでロックカバー３２の移動方向に並んで、すなわち、機器本体１０の後端側から前端側に並んで位置している。また、第１および第２ガイド面４４ａ、４４ｂの各々は、機器本体１０の後端側から前端側に向かって機器本体の底壁２４方向へ傾斜して延びている。特に、電池パック３８を電池収納部２８に装着した状態において、第１および第２ガイド面４４ａ、４４ｂは、それぞれパーティングライン３１よりも大きく傾斜している。更に、ガイドリブ４４の長手方向両端部には、後述するロックカバー３２のガイド爪と第１および第２ガイド面４４ａ、４４ｂとの係合状態を保持する第１および第２保持爪４６ａ、４６ｂが一体的に突設されている。
【００２２】
位置規制部４２は、電池本体３０の側面３０ａから突出した規制リブ４８を有し、この規制リブは、側面３０ａの長手方向に延びているとともに側面の下側縁、すなわち、機器本体１０の底壁２４に隣接して設けられている。また、規制リブ４８は、その両端部にそれぞれ設けられた第１および第２規制爪４８ａ、４８ｂと、中間部に設けられ中央爪４８ｃとを一体に備えている。これら第１、第２規制爪４８ａ、４８ｂ、および中央爪４８ｃは、規制リブ４８から底壁２４側に向かって突出している。そして、第１および第２規制爪４８ａ、４８ｂの延出端面は、それぞれ機器本体１０の後端側から前端側に向かって機器本体の底壁２４方向へ傾斜して延びている。第１および第２規制爪４８ａ、４８ｂの延出端面の傾斜角は、第１および第２ガイド面４４ａ、４４ｂの傾斜角とほぼ等しく設定されている。
更に、電池本体３０の側面３０ａにはストッパ５１が突設され、ガイドリブ４４の後端部と規制リブ４８の後端部との間に位置している。
【００２３】
一方、ロックカバー３２は、電池収納部２８の開口２８ａに対応した大きさに形成され、その内面には第１および第２ガイド爪５０ａ、５０ｂが一体的に突設されている。第１および第２ガイド爪５０ａ、５０ｂは、ロックカバー３２の上側縁３２ａに隣接して設けられているとともに、ロックカバーの移動方向に沿って互いに離間して位置している。また、第１および第２ガイド爪５０ａ、５０ｂは、電池本体３０側の第１および第２ガイド面４４ａ、４４ｂに摺接する当接面５１ａ、５１ｂをそれぞれ有し、これらの当接面５１ａ、５１ｂは、第１および第２ガイド面と同様に傾斜して延びている。
【００２４】
ロックカバー３２の内面には、第１および第２係合突起５４ａ、５４ｂ、中央突起５４ｃが一体に形成され、ロックカバー３２の下側縁に隣接して位置している。第１および第２係合突起５４ａ、５４ｂは、ロックカバーの移動方向に沿って互いに離間して位置しているとともに、電池本体３０に設けられた規定爪４８ａ、４８ｂの延出端面と当接可能に形成されている。そして、これら第１および第２係合突起５４ａ、５４ｂは、第１および第２規制爪４８ａ、４８ｂの延出面と同様に傾斜している。中央突起５４ｃは第１および第２係合突起５４ａ、５４ｂ間に位置し、電池本体３０に設けられた中央爪４８ｃと係合可能に形成されている。
【００２５】
更に、ロックカバー３２の内面には、電池本体３０のストッパ５１に当接可能な係止突起５６、ロックカバーのロック位置において機器本体１０の係合突起２５と係合する第１係合爪５８、および係合孔２７とそれぞれ係合する一対の第２係合爪６０が形成されている。
【００２６】
このように形成されたロックカバー３２は、図８ないし図１０に示すように、第１および第２ガイド爪５０ａ、５０ｂが電池本体３０の第１および第２保持爪４６ａ、４６ｂに係合し、それぞれ当接面５１ａ、５１ｂが第１および第２ガイド面４４ａ、４４ｂに接触した状態で、かつ、第１および第２係合突起５４ａ、５４ｂが電池本体３０の第１および第２規制爪４８ａ、４８ｂの延出面に当接し、更に、中央突起５４ｃが中央爪４８ｃと係合した状態で、電池本体の側面３０ａに取り付けられている。
【００２７】
そして、ロックカバー３２は、電池パック３８を機器本体１０の電池収納部２８内に収納するロック位置と、ロックを解除するロック解除位置との間を移動自在に、電池本体３０に取り付けられている。ロック位置とロック解除位置との間を移動する間、ロックカバー３２に設けられた第１および第２ガイド爪５０ａ、５０ｂの当接面５１ａ、５１ｂは、それぞれ第１および第２ガイド面４４ａ、４４ｂ上を摺動する。また、第１および第２係合突起５４ａ、５４ｂも電池本体３０に設けられた第１および第２規制爪４８ａ、４８ｂの延出面に接触した状態で移動し、第１および第２ガイド面４４ａ、４４ｂから離間する方向への第１および第２ガイド爪５１ａ、５１ｂの移動を規制する。
【００２８】
これにより、ロックカバー３２は、第１および第２ガイド面４４ａ、４４ｂにガイドされた状態で、ロック位置とロック解除位置との間を移動する。そして、第１および第２ガイド面４４ａ、４４ｂは、機器本体１０の後端から前端に向かって底壁２４側へ傾斜していることから、ロックカバー３２もこの傾斜した方向に沿って移動される。
【００２９】
図２、図３、図９、および図１０に示すように、ロック位置において、ロックカバー３２は、ロックカバー３２の第１係合爪５８が機器本体１０の係合突起２５に、また、第２係合爪６０が係合孔２７にそれぞれ係合することにより、電池収納部２８の開口２８ａを閉塞した状態で機器本体１０に嵌合し、電池パック３８をロックしている。
【００３０】
電池パック３８を機器本体１０の電池収納部２８から取り外す場合には、図１１ないし図１３に示すように、ロックカバー３２をロック位置からロック解除位置まで、機器本体の前方へ向かってスライドさせる。ロック位置からロック解除位置まで移動する間、ロックカバー３２に設けられた第１および第２ガイド爪５０ａ、５０ｂの当接面５１ａ、５１ｂは、それぞれ第１および第２ガイド面４４ａ、４４ｂ上を摺動する。また、第１および第２係合突起５４ａ、５４ｂも電池本体３０に設けられた第１および第２規制爪４８ａ、４８ｂの延出面に接触した状態で移動し、第１および第２ガイド面４４ａ、４４ｂから離間する方向への第１および第２ガイド爪５１ａ、５１ｂの移動を規制する。
【００３１】
これにより、ロックカバー３２は、第１および第２ガイド面４４ａ、４４ｂにガイドされた状態で、ロック位置とロック解除位置との間を移動する。そして、第１および第２ガイド面４４ａ、４４ｂは、機器本体１０の後端から前端に向かって底壁２４側へ傾斜していることから、ロックカバー３２はこの傾斜した方向に沿って移動する。
【００３２】
ロックカバー３２がロック解除位置まで移動すると、係止突起５６が電池本体３０のストッパ５１に当接し、それ以上の移動が規制される。また、第１係合爪５８と機器本体１０の係合突起２５との係合が解除されるとともに、第２係合爪６０は機器本体の係合孔２７から係脱される。これにより、ロックカバー３２と機器本体１０との嵌合が解除され、電池パック３８のロックが解除される。従って、図４に示すように、電池パック３８全体を電池収納部２８の開口２８ａから引き出した後、機器本体１０の下方へ押し下げることにより、電池パックを機器本体から取り出すことができる。
【００３３】
以上のように構成されたパーソナルコンピュータによれば、ロックカバー３２の移動をガイドするガイド部４０の第１および第２ガイド面４４ａ、４４ｂは、機器本体１０の底壁２４に対し傾斜して延びていることから、ロック位置とロック解除位置との間におけるロックカバーの移動方向は機器本体の底壁に対し傾斜した方向となる。それにより、ロックカバー３２と機器本体１０との間のパーティングライン３１も底壁に対して傾斜した任意の直線あるいは曲線とすることができる。従って、パーティングライン３１が水平に限られることがなく、機器本体１０およびパーソナルコンピュータ全体の設計およびデザインの自由度を増すことができる。例えば、機器本体１０の上面前端部を、下方に向かって斜めに傾斜したデザインとすることが可能となる。
【００３４】
また、電池本体３０に設けられた第１および第２ガイド面４４ａ、４４ｂは、パーティングライン３１よりも大きく傾斜しているため、パーティングラインが傾斜しているにも拘わらず、ロックカバー３２をロック位置とロック解除位置との間で移動させる際、パーティングラインを形成するロックカバー３２の上側縁と機器本体１０の開口側縁２９との衝突を防止し、ロックカバーの円滑な操作を確保することができる。
【００３５】
更に、第１および第２ガイド面４４ａ、４４ｂ上を摺動する第１および第２ガイド爪５０ａ、５０ｂの当接面５１ａ、５１ｂも第１および第２ガイド面に合わせて傾斜しているため、ロックカバー３２の移動を円滑にガイドすることができる。また、ロックカバー３２が移動する間、第１および第２係合突起５４ａ、５４ｂも電池本体３０に設けられた第１および第２規制爪４８ａ、４８ｂの延出面に接触した状態で移動し、第１および第２ガイド面４４ａ、４４ｂから離間する方向への第１および第２ガイド爪５１ａ、５１ｂの移動を規制するため、第１および第２ガイド爪５０ａ、５０ｂの当接面５１ａ、５１ｂを、常に第１および第２ガイド面４４ａ、４４ｂに接触した状態に維持することができる。これにより、ロックカバー３２のガタを無くし、ロックカバーを常に所望の方向に沿って移動させることができる。
【００３６】
なお、この発明は上述した実施の形態に限定されることなく、この発明の範囲内で種々変形可能である。例えば、パーティングラインは直線状に限らず円弧状としてもよい。また、パーティングラインおよび電池パックのガイド部の傾斜角度は必要に応じて変更可能である。その他、ガイド爪、係合突起、係合爪等の形状、配設位置、形成数等は種々変形可能である。
【００３７】
【発明の効果】
以上詳述したように、この発明によれば、ロックカバーの移動をガイドするガイド部を傾斜して設けることにより、電池パックのロックカバーと他部品とのパーティングラインを任意の直線あるいは曲線に設定することができ、設計およびデザインの自由度を上げることが可能な電子機器を提供することができる。
【図面の簡単な説明】
【図１】この発明の実施の形態に係るパーソナルコンピュータを示す斜視図。
【図２】上記パーソナルコンピュータに底面部分および電池パックを示す斜視図。
【図３】上記パーソナルコンピュータにおいて、電池パックのロックカバーがロック位置に移動した状態を示す斜視図。
【図４】上記パーソナルコンピュータにおいて、電池パックのロックカバーがロック解除位置に移動させ電池パックを機器本体から一部引き出した状態を示す斜視図。
【図５】上記パーソナルコンピュータにおいて、電池パックのロックカバーを取り外した状態を示す側面図。
【図６】上記電池パックのロックカバーの裏面を示す正面図。
【図７】上記電池パックの電池本体の一側部とロックカバーとを示す分解斜視図。
【図８】上記電池パックの電池本体とロックカバーとの係合状態を示す断面図。
【図９】上記パーソナルコンピュータにおいて、上記ロックカバーがロック位置に移動した状態を示す側面図。
【図１０】上記ロック位置における電池本体とロックカバーとの係合状態を示す側面図。
【図１１】上記パーソナルコンピュータにおいて、上記ロックカバーがロック解除位置に移動した状態を示す斜視図。
【図１２】上記パーソナルコンピュータにおいて、上記ロックカバーがロック解除位置に移動した状態を示す側面図。
【図１３】上記ロック解除位置における電池本体とロックカバーとの係合状態を示す側面図。
【符号の説明】
１０…機器本体
１２…ディスクプレイユニット
１４…キーボード
２４…底壁
２６…側壁
２８…電池収納部
３０…電池本体
３１…パーティングライン
３２…ロックカバー
４０…ガイド部
４２…位置規制部
４４ａ…第１ガイド面
４４ｂ…第２ガイド面
４８ａ…第１規制爪
４８ｂ…第２規制爪
５０ａ…第１ガイド爪
５０ｂ…第２ガイド爪
５４ａ…第１係合突起
５４ｂ…第２係合突起
【図１】
0003772076.tif 000002
【図２】
0003772076.tif 000003
【図３】
0003772076.tif 000004
【図４】
0003772076.tif 000005
【図５】
0003772076.tif 000006
【図６】
0003772076.tif 000007
【図７】
0003772076.tif 000008
【図８】
0003772076.tif 000009
【図９】
0003772076.tif 000010
【図１０】
0003772076.tif 000011
【図１１】
0003772076.tif 000012
【図１２】
0003772076.tif 000013
【図１３】
0003772076.tif 000014